【手続補正書】
【提出日】平成20年5月1日(2008.5.1)
【手続補正１】
【補正対象書類名】明細書
【補正対象項目名】０００４
【補正方法】変更
【補正の内容】
【０００４】
プロセス制御システムの実現方式は長年に渡って進化してきた。旧世代のプロセス制御システムは通常専用の集中ハードウェアを使用して実現されていた。しかしながら、現代のプロセス制御システムは、通常、ワークステーション、インテリジェントコントローラ、スマートフィールドデバイス等のきわめて分散されたネットワークを使用して実現され、そのいくつかまたはすべては全体的なプロセス制御戦略または企画の一部を実行することができる。特に、大部分の近代的なプロセス制御システムは、スマートフィールドデバイス及び互いに、及び／または１本または複数のデジタルデータバスを介して１台または複数台のコントローラに通信可能に接続される他のプロセス制御構成要素を含む。これらの近代的なプロセス制御システムの多くが、共用デジタルデータバス等との使用に反して、通常、直接的にコントローラに結合される、例えば４〜２０ミリアンプ（ＭＡ）デバイス、０〜１０ボルト直流（ＶＤＣ）デバイス等の非スマートフィールドデバイスも含んでよい。
【手続補正２】
【補正対象書類名】明細書
【補正対象項目名】００４５
【補正方法】変更
【補正の内容】
【００４５】
図１及び図２を参照すると、画面１０が警報パネル１１、システムステータスパネル１２、メインディスプレイ領域１３、ツールパネル１４、及びセレクタパネル１５を含むような、単一モニタワークステーショングラフィックディスプレイが示されている。図１に示されている画面１０では、警報パネル１１は、図２にも示されているように、ＦIＣ−１０１として識別され、リアクタ１７に対する一次入口である図２の中の１６で示すオブジェクトと同一視されるコントロールバルブの適度な優先順位警報を示す。警報は図１の中の１８で示される。ある実施形態では、警報パネル１１の背景の色は、警報がいつ作動されたかを示すことができる。例えば、着色された背景は一時間を超過してアクティブであった警報に使用され、暗いあるいは黒い背景は８時間以上続いてアクティブであった警報に対して使用されることができ、白または空白な背景は非常に最近の警報に使用されることができるであろう。ＦIＣ−１０１用の警報パネル１１に示される要約は、図１と図２のインジケータ２２の隣の「ｉ」ボタン２１をクリックすることによって作成される。追加情報については、オペレータはフローティングディスプレイ２４を生じさせるための図１の「ｉ＋」ボタン２３をクリックできる。
【手続補正３】
【補正対象書類名】明細書
【補正対象項目名】００４６
【補正方法】変更
【補正の内容】
【００４６】
ボタン２３のためのディスプレイロジックは、現在警報パネル１１で選択されている警報のためにモジュール名“ＦＩＣ−１０１”を捕捉し、“Ｄｉｓｐｌａｙ＝‘ＤｖＡｌａｒｍＩｎｆｏ’；Ｍｏｄｕｌｅ＝‘ＦＩＣ−１０１’”という呼び出し情報文字列を構築し、それをワークスペース関数“ＯＰＥＮ＿ＤＩＳＰＬＡＹ”に渡す。ＤｖＡｌａｒｍＩｎｆｏディスプレイはＡＬＡＲＭＩＮＦＯのパネルカテゴリで構成された。ここで活用されているフレームワークでは、フローティングパネルがＤｖＡｌａｒｍＩｎｆｏディスプレイのために選ばれるようにＡＬＡＭＩＮＦＯカテゴリターゲットとなるように構成される単一フローティングパネルがある。別のディスプレイが現在開いている場合、ボタン２３が押されると、このディスプレイは閉じられ、図１に示されているようなディスプレイ２４が開かれる。
【手続補正４】
【補正対象書類名】明細書
【補正対象項目名】００４７
【補正方法】変更
【補正の内容】
【００４７】
図１の２４で示されているような“ＤｖＡｌａｒｍＩｎｆｏ”ディスプレイにおけるディスプレイロジックは、その開始情報のためにモジュール名を必要とする。ディスプレイロジックは“ＦＩＣ−１０１”を検出すると、ＦＩＣ−１０１と標識された（図２を参照）バルブ１６、及びその包含ユニットと装置モジュールについての情報を取得するために、そのモジュール名をデータサービス層へのアクセス時に使用する。バルブＦＩＣ−１０１及びその関連モジュールにおける警報状況を理解した上で、オペレータは警報パネル１１のボタン２２を押すことによって“ＤｖＡｌａｒｍＩｎｆｏ”フローティングパネル２４を閉じ、図２に示されるようにＦＩＣ−１０１の一次制御ディスプレイを観察する。
【手続補正５】
【補正対象書類名】明細書
【補正対象項目名】００４８
【補正方法】変更
【補正の内容】
【００４８】
依然として図２を参照すると、ほんの一例として、警報パネル１１ボタン用のディスプレイロジックがモジュール名（“ＦＩＣ−１０１”）を捕捉し、“Ｐａｎｅｌ＝‘ＭＡＩＮ’；Ｍｏｄｕｌｅ＝‘ＦＩＣ−１０１’；Ｓｅｌｅｃｔ＝“ＦＩＣ−１０１”；ＫｅｅｐＡＲＳｃｒｏｌｌＯｎｅＤｉｍ”という呼び出し情報文字列を構築し、該文字列をワークスペース関数“ＯＰＥＮ＿ＰＣＤ”に渡す。ＯＰＥＮ＿ＰＣＤ関数はモジュール“ＦＩＣ−１０１”用の一次制御ディスプレイ名“ＲＥＡＣＴＯＲ１＿ＴＯＰ”を解く。ディスプレイロジックは次にワークスペースに対して、ＰＡＮＥＬ＝‘ＭＡＩＮ’を解き、現在そのパネルでのディスプレイをＲＥＡＣＴＯＲ１＿ＴＯＰで置換するように要求する。ＲＥＡＣＴＯＲ１＿ＴＯＰは別のシステムからのＰ＆ＩＤ図のインポートによって生じたので、そのネイティブアスペクト比は現在のフレームワークにおけるＭＡＩＮパネル１３よりはるかに広い。“ＫｅｅｐＡＲＳｃｒｏｌｌＯｎｅＤｉｍ”指令は、収まらないディスプレイの部分にスクロールバーを用いて、ＭＡＩＮパネル１３に充填するようにＲＥＡＣＴＯＲ１＿ＴＯＰを拡大縮小する間、ＲＥＡＣＴＯＲ１＿ＴＯＰのアスペクト比を維持しなければならないと述べている。
【手続補正６】
【補正対象書類名】明細書
【補正対象項目名】００５０
【補正方法】変更
【補正の内容】
【００５０】
「近傍の」警報状態とプロセス測定値を検討した後、オペレータはＦＩＣ−１０１での設定点に調整を加え、そのコントロールループがどのように反応するかを見守ることを選択する。図２に示されているフェースプレートディスプレイ２５はオペレータの考えを表す理想的なインタフェースであるため、オペレータは依然として警報パネル１１内にあるＦＩＣ−１０１ボタン２２を押す。ＦＩＣ−１０１ボタン２２のためのディスプレイロジックはモジュールに関連するモジュール名（“ＦＩＣ−１０１”）を捕捉し、”Ｍｏｄｕｌｅ＝‘ＦＩＣ−１０１’“という呼び出し情報文字列を構築し、それをワークスペース関数“ＯＰＥＮ＿ＦＰＤ”に渡す。
【手続補正７】
【補正対象書類名】明細書
【補正対象項目名】００５１
【補正方法】変更
【補正の内容】
【００５１】
ＯＰＥＮ＿ＦＰＤ関数は、モジュール“ＦＩＣ−１０１”用のフェースプレートディスプレイ名“ＰＩＤ＿ＬＯＰＯ＿ＦＰ”を解く。“ＰＩＤ＿ＬＯＯＯＰ＿ＦＰ”ディスプレイ２５は「ＦＰ」のパネルカテゴリで構成された。現在のフレームワークでは、「ＦＰ」ターゲットとなるように構成された現在両方とも空である２つのフローティングパネルがあり、左側のフローティングパネルが、フローティングパネル「使用順序」構成の中で他方のフローティングパネルの前方に配置されていたため、選ばれる。ＰＩＤ＿ＬＯＯＰ＿ＦＰディスプレイ２５のインスタンスがそこで開かれ、それに開始情報：“Ｍｏｄｕｌｅ＝‘ＦＩＣ−１０１’”に渡す。
【手続補正８】
【補正対象書類名】明細書
【補正対象項目名】００５５
【補正方法】変更
【補正の内容】
【００５５】
図４では、オペレータは画面１０ａ、１０ｂ、１０ｃによってスリーモニタワークスペースを使用することができる。新しい警報が警報パネル１１ｂまたは１１ｃに表示されると、オペレータはバナーに現れる「タグ」を認識し、モジュール説明を確認することができる。ＦＩＣ−１０１（図２を参照）より上流側の問題を補正するために、オペレータは図２の左フェースプレートボタン３１を押して上流の構成要素を見ることができる。図４と図５のスリーモニタディスプレイによって、オペレータは左のモニタ画面１０ａ内の空のウィンドウ枠３２から３５の内の１つに上流ディスプレイのコピーを入れることができる。これを達成するために、オペレータは、メインパネル１０ｂ上のツールバー１４ｂにある「パネルの内容をコピーする」ボタン３６を押す。パネルの内容をコピーするボタン３６の後ろのディスプレイロジックは“Ｐａｎｅｌ＝ＭＡＩＮ”というパラメータ情報文字列を用意し、ワークスペース関数ＣｏｐｙＰａｎｅｌＣｏｎｔｅｎｔを呼び出す。ＣｏｐｙＰａｎｅｌＣｏｎｔｅｎｔ関数は、現在、指定されたパネルの中のディスプレイ名、そのディスプレイを作成するために使用される開始情報、及び現在のスケーリング及びスクロール位置設定値を捕捉する。
【手続補正９】
【補正対象書類名】明細書
【補正対象項目名】００６３
【補正方法】変更
【補正の内容】
【００６３】
図１２に戻ると、範囲アラートは出力またはスループットの変更を登録するように望まれる。ボタン７１をクリックした後、ダイアログ７２が表示されるが、オペレータは図１２に示されるように範囲アラートタブ８１に切り替えることができる。１１２ｇｐｍという流量を望む場合、オペレータはディスプレイアラートのためにボックス８２と８３の中に範囲上限と範囲下限を設定できる。１１２．２ｇｐｍという流量がすでに確立されている場合には、したがってディスプレイアラート上の初期遅延が必要ではなくなり、ボックス８４から８６は空のままにされる。また、製品がシフト変更を超える長期間にわたって作られなければならない場合には、ボックス８７から８９も空のままにされることができ、ボタン７９をクリックすると、ディスプレイアラートを設定することができる。
【手続補正１０】
【補正対象書類名】明細書
【補正対象項目名】００６６
【補正方法】変更
【補正の内容】
【００６６】
図１１から図１３に説明されるディスプレイアラートをチェックするために、オペレータはツールバー１４（または警報パネル１１または他の場所）の「ディスプレイアラートステータス」ボタン１０２を押す。このボタン１０２はメインパネル１０の内容を、図１１から図１３の３つのディスプレイアラートが要約されている図１４と図１５に示されているディスプレイアラートステータスアプリケーションで置き換える。図１４と図１５を比較すると、図１２の１１０から１１５ｇｐｍというターゲット流量は、図１５に表されている時間内の時点で達成されておらず、それによってターゲットレートは図１４で満たされていたが、警告インジケータ１０３が生じる。また、図１１で設定された７２０°というターゲット温度は、図１４では満たされていなかったが、図１５では満たされていた。
【手続補正１１】
【補正対象書類名】明細書
【補正対象項目名】００６８
【補正方法】変更
【補正の内容】
【００６８】
数時間後、オペレータは、警報パネル１１領域のディスプレイアラートインジケータが白に変わり、点滅を開始したことに気付くであろう。ディスプレイアラートステータスディスプレイを開いた後、図１７のディスプレイは表示され、図３の傾斜アラートが完了し、確認が要求されることを示す。オペレータは次に完了したディスプレイアラートを確認し、移送ポンプが停止され、移送バルブがリセットすることができるようにＬＩ−ＴＦ１−ＰＲＤ２３の一次制御ディスプレイのボタンを押す。